(57)【要約】【課題】出力電圧の分解能を向上させることができる電子部品を提供する。【解決手段】複数の抵抗体パターンＲ１〜Ｒ６間にタップパターンＴ１〜Ｔ７を設けることでこれら複数の抵抗体パターンＲ１〜Ｒ６を直列に接続してなる抵抗体パターン群１０と、抵抗体パターン群１０と並列に形成された第１，第２出力パターン３１，４１と、第１，第２出力パターン３１，４１の内の１つずつの出力パターンと、抵抗体パターン群１０のタップパターンＴ１〜Ｔ７とにそれぞれ同時に摺接しながら移動して両パターン間を導通する第１，第２摺動子５１，６１と、を具備する。第１，第２摺動子５１，６１は、順番に抵抗体パターン群１０のタップパターンＴ１〜Ｔ７上を移動していくように配置され、これによって第１，第２出力パターン３１，４１から順番に摺動子５１，６１の位置に応じた出力を取り出す。【選択図】図１
2008071887.tif 000002
【特許請求の範囲】
【請求項１】
複数の抵抗体パターン間にタップパターンを設けることでこれら複数の抵抗体パターンを直列に接続してなる抵抗体パターン群と、
前記抵抗体パターン群と並列に形成された第１〜第ｎ（ｎ：２以上の整数）出力パターンと、
前記第１〜第ｎ出力パターンの内の１つずつの出力パターンと、前記抵抗体パターン群のタップパターンとにそれぞれ同時に摺接しながら移動して両パターン間を導通する第１〜第ｎ摺動子と、を具備し、
前記第１〜第ｎ摺動子は、順番に抵抗体パターン群のタップパターン上を移動していくように配置され、これによって各出力パターンから順番に摺動子の位置に応じた出力を取り出すことを特徴とする電子部品。
【請求項２】
前記第１〜第ｎ摺動子は、抵抗体パターン群の一端のタップパターンに１つの摺動子が当接した際に、抵抗体パターン群の他端のタップパターンに前記１つの摺動子の移動方向に隣接する他の摺動子が当接するように、それぞれ配置されていることを特徴とする請求項１に記載の電子部品。
【請求項３】
前記電子部品は回転式電子部品であって、
前記抵抗体パターン群と、第１〜第ｎ出力パターンとは、同心円状の円弧で構成され、且つ前記第１〜第ｎ摺動子は等角度毎に設置されていることを特徴とする請求項１又は２に記載の電子部品。
【発明の詳細な説明】
【技術分野】
【０００１】
本発明は、摺動子の摺接位置を検出する等の用途に用いて好適な電子部品に関するものである。
【背景技術】
【０００２】
従来、例えば携帯機器の各種機能を選択する操作機構として、所定角度毎にクリック感覚を生じながら回転する操作つまみを取り付け、この操作つまみの回転位置に応じて携帯機器の有する機能を切り替える構成のものがある。そしてこの種の操作機構として、回転式可変抵抗器を用いる場合があり、その場合は、前記操作つまみによって回転式可変抵抗器の抵抗値を変化させ、その抵抗値の値（実際には出力として得られる電圧値）によって操作つまみの回転位置を検出するように構成する。
【０００３】
図７はこの種の従来の回転位置（回転角度）を検出する回転式可変抵抗器５００の概略回路構成図である。同図に示すようにこの回転式可変抵抗器５００は、複数（この例では１２）の円弧状に形成した抵抗体パターンｒ１〜ｒ１２のそれぞれの間及びその両端に抵抗値の低い導体パターンからなるタップパターンｔ１〜ｔ１３を設けることでこれら複数の抵抗体パターンｒ１〜ｒ１２を直列に接続してなる抵抗体パターン群５１０を基板上に形成し、この抵抗体パターン群５１０の各タップパターンｔ１〜ｔ１３上を摺接する摺動子５２０の摺接位置に応じてこの回転式可変抵抗器５００の出力（出力電圧ｖｏｕｔ）を変化するように構成している。
【０００４】
即ちこの回転式可変抵抗器５００の場合、抵抗体パターン群５１０の一端に電源電圧ｖｄｄ（例えば３Ｖ）を印加し、他端をアースし、各タップパターンｔ１〜ｔ１３に摺接する摺動子５２０からの出力を出力電圧ｖｏｕｔとして取り出す。そして各抵抗体パターンｒ１〜ｒ１２を同一抵抗値ｒとすると、各タップパターンｔ１〜ｔ１３における電圧値ｖ１〜ｖ１３は、ｖｎ（ｎ＝１〜１３）＝〔（１３−ｎ）・ｖｄｄ〕／１２となる。つまり摺動子５２０が摺接するタップパターンｔ１〜ｔ１３が１つ変化する毎に、出力電圧ｖｏｕｔが、ｖｄｄ／１２ずつ変化することとなり、この出力電圧ｖｏｕｔの値によって摺動子５２０の位置、つまりは摺動子５２０と一体に回転する操作つまみの回転位置が検出される。従って操作つまみによって選択しようとする機能の数に応じて抵抗体パターンｒの本数を増減すれば、全ての機能に対応した出力が得られることとなる。
【０００５】
しかしながらこの回転式可変抵抗器５００のように選択したい機能が多いと、上記構成の抵抗体パターン郡５１０ではその分解能に限界が生じる。即ちこの回転式可変抵抗器５００の場合、タップパターンｔ１〜ｔ１３が１つ変化する毎に変化する出力電圧ｖｏｕｔはｖｄｄ／１２となり、ｖｄｄが３Ｖ程度の場合は変化する電圧値の幅が小さくなりすぎ、正確な検出ができにくくなる。
【発明の開示】
【発明が解決しようとする課題】
【０００６】
本発明は上述の点に鑑みてなされたものでありその目的は、出力電圧の分解能を向上させることができる電子部品を提供することにある。
【課題を解決するための手段】
【０００７】
本願請求項１に記載の発明は、複数の抵抗体パターン間にタップパターンを設けることでこれら複数の抵抗体パターンを直列に接続してなる抵抗体パターン群と、前記抵抗体パターン群と並列に形成された第１〜第ｎ（ｎ：２以上の整数）出力パターンと、前記第１〜第ｎ出力パターンの内の１つずつの出力パターンと、前記抵抗体パターン群のタップパターンとにそれぞれ同時に摺接しながら移動して両パターン間を導通する第１〜第ｎ摺動子と、を具備し、前記第１〜第ｎ摺動子は、順番に抵抗体パターン群のタップパターン上を移動していくように配置され、これによって各出力パターンから順番に摺動子の位置に応じた出力を取り出すことを特徴とする電子部品にある。
【０００８】
本願請求項２に記載の発明は、前記第１〜第ｎ摺動子は、抵抗体パターン群の一端のタップパターンに１つの摺動子が当接した際に、抵抗体パターン群の他端のタップパターンに前記１つの摺動子の移動方向に隣接する他の摺動子が当接するように、それぞれ配置されていることを特徴とする請求項１に記載の電子部品にある。
【０００９】
本願請求項３に記載の発明は、前記電子部品は回転式電子部品であって、前記抵抗体パターン群と、第１〜第ｎ出力パターンとは、同心円状の円弧で構成され、且つ前記第１〜第ｎ摺動子は等角度毎に設置されていることを特徴とする請求項１又は２に記載の電子部品にある。
【発明の効果】
【００１０】
請求項１に記載の発明によれば、ｎ本の出力パターンからｎ個の摺動子それぞれの抵抗体パターン群に対する位置に応じた出力が得られるので、出力電圧の分解能を約ｎ倍に向上させることができる。
【００１１】
請求項２に記載の発明によれば、抵抗体パターン群に何れか１つの摺動子のみを確実に当接させることができ、複数の摺動子を効率的に利用しながら出力電圧の分解能を向上させることができる。
【００１２】
請求項３に記載の発明によれば、本発明にかかる電子部品を回転式電子部品として構成することができる。
【発明を実施するための最良の形態】
【００１３】
以下、本発明の実施形態を図面に基づいて詳細に説明する。
〔第１実施形態〕
図１は本発明の第１実施形態にかかる電子部品（以下「回転式電子部品」という）１−１の概略回路構成図である。同図に示す回転式電子部品１−１は抵抗体パターンを用いた回転式可変抵抗器であるが、その使用方法は、抵抗値の変化を利用した回転式スイッチ（ロータリーエンコーダ）となっている。回転式電子部品１−１は、複数（この実施形態では６つ）の抵抗体パターンＲ１〜Ｒ６のそれぞれの間と両端とにタップパターンＴ１〜Ｔ７を設けることでこれら複数の抵抗体パターンＲ１〜Ｒ６を直列に接続してなる全体として円弧状の抵抗体パターン群１０と、前記抵抗体パターン群１０と同心円状（即ち抵抗体パターン群１０と並列、平行）に形成された第１，第２出力パターン３１，４１と、第１出力パターン３１と抵抗体パターン群１０のタップパターンＴ１〜Ｔ７とにそれぞれ同時に摺接しながら移動して両パターン間を導通する第１摺動子５１と、第２出力パターン４１と抵抗体パターン群１０のタップパターンＴ１〜Ｔ７とに同時に摺接しながら移動して両パターン間を導通する第２摺動子６１と、を具備し、第１，第２摺動子５１，６１は、順番に抵抗体パターン群１０のタップパターンＴ１〜Ｔ７上を移動していくように配置され、これによって第１，第２の各出力パターン３１，４１から順番に第１，第２摺動子５１，６１の位置に応じた出力を取り出すように構成されている。
【００１４】
抵抗体パターン群１０と、第１，第２出力パターン３１，４１とは、同心円状の円弧で構成され、且つ前記第１，第２摺動子５１，６１は前記同心円と同一の中心を中心とする１８０°対向する位置に設置されている。第１，第２摺動子５１，６１は具体的には１つの回転体に取り付けられ、同時に回転する。また抵抗体パターン群１０は、その円弧の中心からみて約１８０°の範囲にわたって形成されており、従って第１摺動子５１が抵抗体パターン群１０の一端のタップパターンＴ１に当接した際に、抵抗体パターン群１０の他端のタップパターンＴ７には前記摺動子５１の移動方向（この実施形態では回転方向）に隣接する摺動子６１（この実施形態では摺動子５１に隣接する摺動子は摺動子６１）が当接する位置となるように、それぞれ配置されている。
【００１５】
各抵抗体パターンＲ１〜Ｒ６の長さ及び抵抗値は同一である。タップパターンＴ１〜Ｔ７は抵抗値の小さい導体パターンによって構成されている。
【００１６】
そして抵抗体パターン群１０の一端側（抵抗体パターンＲ１側）に電源電圧Ｖｄｄを接続し、他端側（抵抗体パターンＲ６側）をアースしている。一方第１，第２出力パターン３１，４１からは、それぞれ出力電圧Ｖｏｕｔ１，Ｖｏｕｔ２が取り出される。また第１，第２出力パターン３１，４１にはそれぞれ、図１に示すように、プルアップ抵抗Ｒｐ，Ｒｐ´（Ｒｐ＝Ｒｐ´）を介して電源電圧Ｖｄｄを印加するプルアップ回路３５，４５が接続されている。
【００１７】
そして例えば図１に示すように第１摺動子５１が抵抗体パターン群１０のタップパターンＴ１〜Ｔ７に摺接しているときは、電源電圧Ｖｄｄが各抵抗体パターンＲ１〜Ｒ６によって分圧された出力電圧Ｖｏｕｔ１が第１出力パターン３１から出力され、一方第２摺動子６１が抵抗体パターン群１０のタップパターンＴ１〜Ｔ７に摺接しているときは、電源電圧Ｖｄｄが各抵抗体パターンＲ１〜Ｒ６によって分圧された出力電圧Ｖｏｕｔ２が第２出力パターン４１から出力される。第１，第２摺動子５１，６１が同時にタップパターンＴ１〜Ｔ７に当接するのは、一方がタップパターンＴ１に当接し、他方がタップパターンＴ７に当接しているときだけであり、一方がタップパターンＴ２〜Ｔ６に当接しているときは、他方はオープン状態となっている。
【００１８】
この回転式電子部品１−１の出力波形の状態を図２に示す。同図に示すように、第１，第２摺動子５１，６１を回動することで、第１，第２摺動子５１，６１を取り付けた図示しない回転体が半回転（１８０°）する間は一方の第１出力パターン３１の出力電圧Ｖｏｕｔ１が６段階に変化し、さらに回転体が半回転（１８０°）する間は他方の第２出力パターン４１の出力電圧Ｖｏｕｔ２が６段階に変化する。そしてさらに回転体が回転していくと、再び第１出力パターン３１の出力電圧Ｖｏｕｔ１が変化していく。そして第１出力パターン３１から出力される出力電圧Ｖｏｕｔ１と、第２出力パターン４１から出力される出力電圧Ｖｏｕｔ２とが同一の電圧であっても、出力される第１，第２出力パターン３１，４１が異なるので異なる出力として検出できる。
【００１９】
さらに具体的に説明すると、各タップパターンＴ１〜Ｔ７に第１摺動子５１が当接しているときの電圧値Ｖｏｕｔ１（Ｔｎ；ｎ＝１〜７）は、Ｖｏｕｔ（ｎ）＝〔（７−ｎ）・Ｖｄｄ〕／６となる。同様に各タップパターンＴ１〜Ｔ７に第２摺動子６１が当接しているときの電圧値Ｖｏｕｔ２（Ｔｎ；ｎ＝１〜７）は、Ｖｏｕｔ（ｎ）＝〔（７−ｎ）・Ｖｄｄ〕／６となる。つまり第１，第２摺動子５１，６１がそれぞれ摺接するタップパターンＴ１〜Ｔ７が１つ変化する毎に、出力電圧Ｖｏｕｔ１，２は、Ｖｄｄ／６ずつ６段階変化することとなり、両者合せて第１，第２摺動子５１，６１が１回転する間に、第１，第２摺動子５１，６１の回動位置に応じて１２種類（１２段階）の出力の変化が検出できる。しかもこのとき電源電圧Ｖｄｄの電圧値を１２等分するのではなく、６等分するだけで良いので、高い分解能が得られる。即ちこれら出力電圧Ｖｏｕｔ１，Ｖｏｕｔ２の値によって第１，第２摺動子５１，６１の位置、つまりは第１，第２摺動子５１，６１と一体に回転する操作つまみの回転位置が１２ヶ所で検出されることとなる。従って１つの操作つまみによって１２の機能の選択が可能となる。
【００２０】
なおこの実施形態において、プルアップ回路３５，４５を設けたのは以下の理由による。即ち例えば第１摺動子５１が抵抗体パターン群１０に摺接しているとき、第２摺動子６１が抵抗体パターン群１０からオープンとなっている状態が生じ、従ってもしプルアップ回路４５がないとすると、第２出力パターン４１が開放されてしまい、このため出力電圧Ｖｏｕｔ２は一定に定まらず不安定になり、第１，第２摺動子５１，６１の位置の検出が正確に行われなくなる恐れがある。そこで第１，第２出力パターン３１，４１にそれぞれプルアップ回路３５，４５を接続し、これによって摺動子５１又は６１が摺接していない側の出力パターン３１又は４１の出力電圧Ｖｏｕｔを常に電源電圧Ｖｄｄとすることとしたのである。つまり出力電圧がＶｄｄとなっている側の回路はオープンになっていることを意味している。
【００２１】
図３は回転式電子部品１−１に用いる回路基板７０の１具体例を示す平面図である。この回転式電子部品１−１の回路基板７０は、絶縁性の略矩形状の合成樹脂フイルム（例えばポリエチレンテレフタレートフイルム）からなる基板（フレキシブル基板）７１上に、円弧状の抵抗体パターン群１０を形成し、この抵抗体パターン群１０の内周側に同心円状で円弧状に２重に外側から第１，第２出力パターン３１，４１を形成している。基板７１の外周には帯状の引出部７３が接続されて引き出されている。抵抗体パターン群１０は、タップパターンＴ１〜Ｔ７となる抵抗値の低いパターン（点線で示す）上を全て覆うように略半円弧状に抵抗体からなるパターンを形成して構成されている。上記点線で示す抵抗値の低いパターンは例えば銀ペーストを印刷することによって形成されている。一方上記略半円弧状の抵抗体からなるパターンは所定の抵抗を有する例えばカーボンペーストを印刷することによって形成されている。これによって各タップパターンＴ１〜Ｔ７の間の部分がそれぞれ抵抗体パターンＲ１〜Ｒ６になる。一方第１，第２出力パターン３１，４１は、タップパターンＴ１〜Ｔ７と同様、抵抗値の低い銀ペーストからなるパターン（点線で示す）を第１，第２出力パターン３１，４１の形状に印刷し、その上を覆うように所定の抵抗を有する例えばカーボンペーストを印刷することによって形成されている。カーボンペーストを印刷するのはタップパターンＴ１〜Ｔ７でも同様であるが、第１，第２摺動子５１，６１の摺接による銀ペーストからなるパターンの摩耗防止とその硫化対策のためである。
【００２２】
タップパターンＴ１には電源電圧Ｖｄｄに接続される回路パターン７５が接続され、タップパターンＴ７にはアースに接続される回路パターン７７が接続され、第１，第２出力パターン３１，４１にはそれぞれ出力電圧Ｖｏｕｔ１，Ｖｏｕｔ２を出力する回路パターン７９，８１が接続され、それぞれ引出パターン７３に引き出されている。基板７１及び引出部７３上の前記各回路パターン７５，７７，７９，８１上には、絶縁塗料を塗布することによって絶縁層８３が形成されている。なお基板７１の中央（抵抗体パターン群１０の円弧の中心部分）には貫通する開口部８５が設けられている。開口部８５は第１，第２摺動子５１，６１を取り付けた図示しない回転体の回転軸を挿入するためのものである。
【００２３】
なおこの実施形態においては、抵抗体パターン群１０の内周側に第１，第２出力パターン３１，４１を設けたが、第１，第２出力パターン３１，４１は抵抗体パターン群１０の外周側に設けても良い。
【００２４】
なお回路基板７０の具体的製造方法は、例えば基板７１と引出部７３上に、まず銀ペーストによってタップパターンＴ１〜Ｔ７と、第１，第２出力パターン３１，４１と、回路パターン７５，７７，７９，８１とを同一の印刷等の工程で形成し、次にカーボンペーストによってタップパターンＴ１〜Ｔ７上を含む抵抗体パターン群１０の形状の略半円弧状のパターンと、第１，第２出力パターン３１，４１上をそれぞれ覆う略円弧状のパターンとを同一の印刷等の工程で形成し、次に回路パターン７５，７７，７９，８１を覆うように絶縁層８３を印刷等の工程で形成することで行われる。
【００２５】
〔第２実施形態〕
図４は本発明の第２実施形態にかかる電子部品（以下「回転式電子部品」という）１−２の概略回路構成図である。同図に示す回転式電子部品１−２も第１実施形態と同様に、抵抗体パターンを用いた回転式可変抵抗器であり、その使用方法も、抵抗値の変化を利用した回転式スイッチ（ロータリーエンコーダ）となっている。同図に示す回転式電子部品１−２において、前記図１〜図３に示す回転式電子部品１−１と同一又は相当部分には同一符号（但し符号「−２」を記す）を付す。なお以下で説明する事項以外の事項については、前記図１〜図３に示す回転式電子部品１−１と同じである。
【００２６】
この回転式電子部品１−２は、複数（この実施形態では４つ）の抵抗体パターンＲ１−２〜Ｒ４−２のそれぞれの間と両端とにタップパターンＴ１−２〜Ｔ５−２を設けることでこれら複数の抵抗体パターンＲ１−２〜Ｒ４−２を直列に接続してなる全体として円弧状の抵抗体パターン群１０−２と、前記抵抗体パターン群１０−２と同心円状（即ち抵抗体パターン群１０−２と並列、平行）に形成された第１，第２，第３出力パターン３１−２，４１−２，４７−２と、第１出力パターン３１−２と抵抗体パターン群１０−２のタップパターンＴ１−２〜Ｔ５−２とにそれぞれ同時に摺接しながら移動して両パターン間を導通する第１摺動子５１−２と、第２出力パターン４１−２と抵抗体パターン群１０−２のタップパターンＴ１−２〜Ｔ５−２とに同時に摺接しながら移動して両パターン間を導通する第２摺動子６１−２と、第３出力パターン４７−２と抵抗体パターン群１０−２のタップパターンＴ１−２〜Ｔ５−２とに同時に摺接しながら移動して両パターン間を導通する第３摺動子１０３−２と、を具備し、第１，第２，第３摺動子５１−２，６１−２，１０３−２を、順番に抵抗体パターン群１０−２のタップパターンＴ１−２〜Ｔ５−２上を移動していくように配置し、これによって第１，第２，第３の各出力パターン３１−２，４１−２，４７−２から順番に第１，第２，第３摺動子５１−２，６１−２，１０３−２の位置に応じた出力を取り出すように構成されている。
【００２７】
ここで抵抗体パターン群１０−２と、第１，第２，第３出力パターン３１−２，４１−２，４７−２とは、同心円状の円弧で構成され、且つ前記第１，第２，第３摺動子５１−２，６１−２，１０３−２は前記同心円と同一の中心を中心とする相互に１２０°対向する位置に設置されている。第１，第２，第３摺動子５１−２，６１−２，１０３−２は具体的には１つの回転体に取り付けられ、相互に１２０°間隔の対称位置のまま同時に回転する。また抵抗体パターン群１０−２は、その円弧の中心からみて約１２０°の範囲に形成されており、従って例えば第１摺動子５１−２が抵抗体パターン群１０−２の一端のタップパターンＴ１−２に当接した際に、抵抗体パターン群１０−２の他端のタップパターンＴ５−２には前記摺動子５１−２の移動方向（右方向、時計回り方向）に隣接する摺動子６１−２が当接する位置となるように、それぞれ配置されている（摺動子５１−２がタップパターンＴ５−２に当接した際は、タップパターンＴ１−２には摺動子５１−２の移動方向（左方向、反時計回り方向）に隣接するもう１つの摺動子１０３−２が当接する）。
【００２８】
そして抵抗体パターン群１０−２の一端側（抵抗体パターンＲ１−２側）に電源電圧Ｖｄｄを接続し、他端側（抵抗体パターンＲ４−２側）をアースしている。一方第１，第２，第３出力パターン３１−２，４１−２，４７−２からは、それぞれ出力電圧Ｖｏｕｔ１，Ｖｏｕｔ２，Ｖｏｕｔ３が取り出される。また第１，第２，第３出力パターン３１−２，４１−２，４７−２にはそれぞれ、第１実施形態と同様にプルアップ抵抗Ｒｐ−２，Ｒｐ´−２，Ｒｐ″−２（Ｒｐ−２＝Ｒｐ´−２＝Ｒｐ″−２）を介して電源電圧Ｖｄｄを印加するプルアップ回路３５−２，４５−２，４９−２が接続されている。
【００２９】
そして例えば図４に示すように第１摺動子５１−２が抵抗体パターン群１０−２のタップパターンＴ１−２〜Ｔ５−２に摺接しているときは、電源電圧Ｖｄｄが各抵抗体パターンＲ１−２〜Ｒ４−２によって分圧された出力電圧Ｖｏｕｔ１が第１出力パターン３１−２から出力され、第２摺動子６１−２がタップパターンＴ１−２〜Ｔ５−２に摺接しているときは、電源電圧Ｖｄｄが各抵抗体パターンＲ１−２〜Ｒ４−２によって分圧された出力電圧Ｖｏｕｔ２が第２出力パターン４１−２から出力され、第３摺動子１０３−２がタップパターンＴ１−２〜Ｔ５−２に摺接しているときは、電源電圧Ｖｄｄが各抵抗体パターンＲ１−２〜Ｒ４−２によって分圧された出力電圧Ｖｏｕｔ３が第３出力パターン４７−２から出力される。第１，第２，第３摺動子５１−２，６１−２，１０３−２の内の何れか２つが同時にタップパターンＴ１−２〜Ｔ５−２に当接するのは、一方がタップパターンＴ１−２に当接し、もう一方がタップパターンＴ５−２に当接しているときだけであり、１つがタップパターンＴ２−２〜Ｔ４−２に当接しているときは、他の摺動子は何れもオープン状態となっている。
この回転式電子部品１−２の出力波形の状態を図５に示す。同図に示すように、第１，第２，第３摺動子５１−２，６１−２，１０３−２を回動することで、第１，第２，第３摺動子５１−２，６１−２，１０３−２を取り付けた図示しない回転体が１／３回転（１２０°）する間は第１出力パターン３１−２の出力電圧Ｖｏｕｔ１が４段階に変化し、次に回転体が１／３回転（１２０°）する間は第２出力パターン４１−２の出力電圧Ｖｏｕｔ２が４段階に変化し、さらに回転体が１／３回転（１２０°）する間は第３出力パターン４７−２の出力電圧Ｖｏｕｔ３が４段階に変化する。そしてさらに回転体が回転していくと、再び第１出力パターン３１−２の出力電圧Ｖｏｕｔ１が変化していく。そして第１出力パターン３１−２から出力される出力電圧Ｖｏｕｔ１と、第２出力パターン４１−２から出力される出力電圧Ｖｏｕｔ２と、第３出力パターン４７−２から出力される出力電圧Ｖｏｕｔ３とが同一の電圧であっても、出力される第１，第２，第３出力パターン３１−２，４１−２，４７−２が異なるので異なる出力として検出できる。つまり第１，第２，第３摺動子５１−２，６１−２，１０３−２がそれぞれ摺接するタップパターンＴ１−２〜Ｔ５−２が１つ変化する毎に、出力電圧Ｖｏｕｔ１，２，３は、Ｖｄｄ／４ずつ４段階変化することとなり、これらを合せて第１，第２，第３摺動子５１−２，６１−２，１０３−２が１回転する間に、第１，第２，第３摺動子５１−２，６１−２，１０３−２の回動位置に応じた１２種類（１２段階）の出力の変化が検出できる。しかもこのとき電源電圧Ｖｄｄの電圧値を１２等分するのではなく、４等分するだけで良いので、高い分解能が得られる。
【００３０】
図６は回転式電子部品１−２に用いる回路基板７０−２の１具体例を示す平面図である。同図において７０−２は回路基板、７１−２は基板、７３−２は引出部、８３−２は絶縁層、８５−２は開口部である点は第１実施形態と同様である。タップパターンＴ１−２には電源電圧Ｖｄｄに接続される回路パターン７５−２が接続され、タップパターンＴ５−２にはアースに接続される回路パターン７７−２が接続され、第１，第２，第３出力パターン３１−２，４１−２，４７−２にはそれぞれ出力電圧Ｖｏｕｔ１，Ｖｏｕｔ２，Ｖｏｕｔ３を出力する回路パターン７９−２，８１−２，８２−２が接続され、それぞれ引出パターン７３−２に引き出されている。
【００３１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では第１，第２摺動子５１，６１（第１，第２，第３摺動子５１−２，６１−２，１０３−２）を取り付けた回転体を無端（エンドレス）で回転する場合について説明したが、回転体にストッパーを取り付けて所定の回動範囲で回転するように構成しても良い。また上記実施形態では本発明を回転式電子部品に適用した例を説明したが、前記回転体を直線状に移動するスライド移動体に変更し、抵抗体パターン群や出力パターン等も直線状に形成することで、スライド式電子部品にも同様に適用することもできる。
【００３２】
また出力パターン３１，４１（３１−２，４１−２，４７−２）の数と、これらにそれぞれ対応する摺動子５１，６１（５１−２，６１−２，１０３−２）の数とが上記実施形態に限定されないことは言うまでもなく、要は第１〜第ｎ（ｎ：２以上の整数）出力パターンと、第１〜第ｎ出力パターンの内の１つずつの出力パターンと抵抗体パターン群のタップパターンとにそれぞれ同時に摺接しながら移動して両パターン間を導通する第１〜第ｎ摺動子とを具備すればよい。その際各摺動子の設置位置はそれらの回転中心から見て３６０°／ｎの角度で設置するのが好ましく、また抵抗体パターンの形成範囲もその中心軸から見て３６０°／ｎの範囲に設置するのが好ましい。また上記実施形態では同心円状に設置するタップパターンＴ１〜Ｔ７，Ｔ１−２〜Ｔ５−２の間隔を略同一としたが、必要に応じてその間隔を異なるものとしても良い。プルアップ回路３５，４５（３５−２，４５−２，４９−２）はプルダウン回路としてもよく、さらにプルアップ回路やプルダウン回路は場合によっては接続しなくても良い。また上記実施形態では基板７１としてフレキシブル基板を用いたが、硬質基板を用いても良い。
【図面の簡単な説明】
【００３３】
【図１】回転式電子部品１−１の概略回路構成図である。
【図２】回転式電子部品１−１の出力波形図である。
【図３】回転式電子部品１−１に用いる回路基板７０の平面図である。
【図４】回転式電子部品１−２の概略回路構成図である。
【図５】回転式電子部品１−２の出力波形図である。
【図６】回転式電子部品１−２に用いる回路基板７０−２の平面図である。
【図７】従来の回転式可変抵抗器５００の概略回路構成図である。
【符号の説明】
【００３４】
１−１  回転式電子部品（電子部品）
１０  抵抗体パターン群
Ｒ１〜Ｒ６  抵抗体パターン
Ｔ１〜Ｔ７  タップパターン
３１  第１出力パターン
４１  第２出力パターン
５１  第１摺動子
６１  第２摺動子
１−２  回転式電子部品（電子部品）
１０−２  抵抗体パターン群
Ｒ１−２〜Ｒ４−２  抵抗体パターン
Ｔ１−２〜Ｔ５−２  タップパターン
３１−２  第１出力パターン
４１−２  第２出力パターン
４７−２  第３出力パターン
５１−２  第１摺動子
６１−２  第２摺動子
１０３−２  第３摺動子
【図１】
2008071887.tif 000003
【図２】
2008071887.tif 000004
【図３】
2008071887.tif 000005
【図４】
2008071887.tif 000006
【図５】
2008071887.tif 000007
【図６】
2008071887.tif 000008
【図７】
2008071887.tif 000009